(57)【要約】【課題】本発明は、左右一方の眼鏡レンズを複数のレンズから構成することにより、装着者の要望により任意のレンズを組み合わせたり、相違する度数を持たせた場合でも視機能を向上させたりすることができる眼鏡および眼鏡の製造方法を提供する。【解決手段】前記左右の眼鏡レンズと前記眼鏡レンズを支持する眼鏡フレームとを備えた眼鏡において、各眼鏡レンズは、少なくとも第一眼鏡レンズと第二眼鏡レンズとを備え、前記第一眼鏡レンズおよび第二眼鏡レンズは、別部材のセミフィニッシュレンズをそれぞれの光学中心に基づいて加工することにより形成されていることを特徴とする。【選択図】図１
2018036593.tif 000002
【特許請求の範囲】
【請求項１】
左右の眼鏡レンズと前記眼鏡レンズを支持する眼鏡フレームとを備えた眼鏡において、
各眼鏡レンズは、少なくとも第一眼鏡レンズと第二眼鏡レンズとを備え、前記第一眼鏡レンズおよび第二眼鏡レンズは、別部材のセミフィニッシュレンズをそれぞれ加工することにより形成されていることを特徴とする眼鏡。
【請求項２】
前記左右の眼鏡レンズと前記眼鏡レンズを支持する眼鏡フレームとを備えた眼鏡において、
各眼鏡レンズは、少なくとも第一眼鏡レンズと第二眼鏡レンズとを備え、
前記第一眼鏡レンズおよび第二眼鏡レンズは、別部材のセミフィニッシュレンズをそれぞれの光学中心に基づいて加工することにより形成されていることを特徴とする眼鏡。
【請求項３】
左右の眼鏡レンズとその眼鏡レンズを支持する眼鏡フレームとを備えた眼鏡の製造方法において、
焦点の相違するセミフィニッシュレンズを準備し、前記セミフィニッシュレンズをそれぞれの光学中心に基づいて加工することにより、少なくとも第一眼鏡レンズと第二眼鏡レンズとを形成し、少なくとも第一眼鏡レンズと第二眼鏡レンズとにより左右一方の眼鏡レンズを構成することを特徴とする眼鏡の製造方法。
【発明の詳細な説明】
【技術分野】
【０００１】
本発明は、眼鏡および眼鏡の製造方法に関する。
【背景技術】
【０００２】
一般に、眼鏡は、左右の眼鏡レンズとその眼鏡レンズを保持する眼鏡フレームとを備えている。眼鏡レンズは、例えばセミフィニッシュレンズと呼ばれる半製品レンズを眼鏡フレームに応じて加工することで形成される（例えば、特許文献１参照）。前記左右の眼鏡レンズは、一枚のセミフィニッシュレンズからそれぞれ構成されている。
【０００３】
また、一枚の眼鏡レンズを遠用部（遠方視部）と近用部（近方視部）とに分け、２つの異なる度数を持たせた眼鏡レンズも公知である。これら眼鏡レンズは、多焦点レンズと呼ばれ、製造方法により、融着型、ワンピース型の二種類に大別されている。
【０００４】
融着型多焦点レンズは、台玉ガラスレンズと、その一部に埋め込まれた小玉ガラスレンズとを熱軟化により融着させることにより作製する。
【０００５】
ワンピース型多焦点レンズは通常、少なくとも一方の面の一部に突出部（近用部）を設けることにより、遠方視のための遠用屈折力を有する遠用部と、近方視のための近用屈折力を有する近用部との両方の機能を持たせている。
【先行技術文献】
【特許文献】
【０００６】
【特許文献１】特開２００９−１０３７９５号公報
【発明の概要】
【発明が解決しようとする課題】
【０００７】
従来の眼鏡は、左右一方が単体の眼鏡レンズから構成されているため、視機能を優先したレンズを選ぶ場合、眼鏡の装着者が所望する他の用途を基準とした所望するレンズを選ぶことができず個性的な眼鏡を提供できるものではなかった。
【０００８】
また、相違する度数を有する眼鏡レンズを採用する場合、融着型多焦点レンズは、台玉ガラスレンズの一部に小玉ガラスレンズを埋め込む構成（二枚のレンズを重ねる構成）であるため、重ね合わされた部分の焦点がずれてしまう問題がある。
【０００９】
従来のワンピース型レンズは、装着者の眼に応じて左右それぞれ一枚のセミフィニッシュレンズを切削加工することにより形成される。一枚のセミフィニッシュレンズを切削加工する場合、眼鏡レンズの光学中心を中心にして、それぞれの装着者の眼の焦点（装着者が最も目視し易い位置）を設定するのが好ましい。しかしながらワンピース型レンズは、一つの光学中心で遠用部と近用部とを備えているため、光学中心を遠用部に設定する場合、近用部の焦点がずれてしまうこととなる。このため、装着者は、近用部の文字等が目視し難くなる問題があった。
【００１０】
本発明は、左右一方の眼鏡レンズを複数のレンズから構成することにより、装着者の要望により任意のレンズを組み合わせたり、相違する度数を持たせた場合でも視機能を向上させたりすることができる眼鏡および眼鏡の製造方法を提供することを課題とする。
【課題を解決するための手段】
【００１１】
請求項１に記載の発明は、左右の眼鏡レンズと前記眼鏡レンズを支持する眼鏡フレームとを備えた眼鏡において、各眼鏡レンズは、第一眼鏡レンズと第二眼鏡レンズとを備え、前記第一眼鏡レンズおよび第二眼鏡レンズは、別部材のセミフィニッシュレンズをそれぞれ加工することにより形成されていることを特徴とする眼鏡である。
【００１２】
請求項２に記載の発明は、左右の眼鏡レンズと前記眼鏡レンズを支持する眼鏡フレームとを備えた眼鏡において、各眼鏡レンズは、第一眼鏡レンズと第二眼鏡レンズとを備え、前記第一眼鏡レンズおよび第二眼鏡レンズは、別部材のセミフィニッシュレンズをそれぞれの光学中心に基づいて加工することにより形成されていることを特徴とする眼鏡である。
【００１３】
請求項３に記載の発明は、左右の眼鏡レンズとその眼鏡レンズを支持する眼鏡フレームとを備えた眼鏡の製造方法において、焦点の相違するセミフィニッシュレンズを準備し、前記セミフィニッシュレンズをそれぞれの光学中心に基づいて加工することにより、少なくとも第一眼鏡レンズと第二眼鏡レンズとを形成し、少なくとも第一眼鏡レンズと第二眼鏡レンズとにより左右一方の眼鏡レンズを構成することを特徴とする眼鏡の製造方法である。
【発明の効果】
【００１４】
本発明によれば、装着者の要望によっていろいろな種類のレンズに対応できることとなり、視機能を向上するとともに装着者のデザイン、用途等の要望に対応することができる。また、装着者の眼の状況に応じてそれぞれの光学中心を基準にレンズを加工できることとなり、遠用部および近用部を備えた眼鏡であっても、遠用部および近用部のそれぞれの部分で独立して焦点を容易且つ確実に設定できる。
【図面の簡単な説明】
【００１５】
【図１】本発明の実施形態に係る眼鏡の正面図である。
【図２】本発明の実施形態に係る眼鏡の平面図である。
【図３】セミフィニッシュレンズを示す図である。
【図４】左右遠用レンズおよび左右近用レンズをそれぞれ示す正面図である。
【図５】本発明の他の実施形態に係る眼鏡の一部を示す正面図である。
【図６】本発明の他の実施形態に係る眼鏡の一部を示す正面図である。
【図７】本発明の他の実施形態に係る平面図である。
【発明を実施するための形態】
【００１６】
以下、本発明を実施の形態に基づき、図面を参照して説明する。図１は、眼鏡の概略を示す正面図、図２は眼鏡の概略を示す平面図である。図１および図２に示すように、眼鏡１は、左右の眼鏡レンズ２、３とその眼鏡レンズ２、３を支持する眼鏡フレーム５とを備えている。
【００１７】
眼鏡フレーム５は、フレーム本体６と、フレーム本体６にヒンジ部４を介して開閉自在に取付けられた一対のテンプル７、７とから構成されている。フレーム本体６は左レンズフレーム部８と右レンズフレーム部９と、鼻パット（図示省略）とを備えている。
【００１８】
左レンズフレーム部８は、上側の第一フレーム部８ａと下側の第二フレーム部８ｂとから構成されている。左レンズフレーム部８は、フレーム本体６に形成された開口周縁に連結部１０を介して連結されている。
【００１９】
右レンズフレーム部９は、上側の第一フレーム部９ａと下側の第二フレーム部９ｂとから構成されている。右レンズフレーム部９は、フレーム本体６に形成された開口周縁に連結部１1を介して連結されている。なお、フレーム本体６は、レーザー加工により容易且つ安価に形成することができる。
【００２０】
眼鏡レンズ２、３は、第一眼鏡レンズとしての遠用レンズ１２ａ、１２ｂと、第二眼鏡レンズとしての近用レンズ１３ａ、１３ｂとから構成されている。すなわち、上部の左右の第一フレーム部８ａ、９ａには、遠用レンズ１２ａ、１２ｂがそれぞれ取付けられている。また、下部の左右の第二フレーム部８ｂ、９ｂには、近用レンズ１３ａ、１３ｂがそれぞれ取付けられている。
【００２１】
遠用レンズ１２ａ、１２ｂの外周には、周溝が形成されており、その周溝に第一フレーム部８ａ、９ａの周縁部が凹凸嵌合されている。第一フレーム部８ａ、９ａには、千鳥状に切り欠かれた切込み８ｃ、９ｃが複数形成され、この切込み８ｃ、９ｃを設けることにより、が弾性力に抗してより若干開口が大きくなるように設定されている。
【００２２】
近用レンズ１３ａ、１３ｂの外周には、周溝が形成されており、その周溝に第二フレーム部８ｂ、９ｂの周縁部が凹凸嵌合されている。第二フレーム部８ｂ、９ｂには、蛇行部８ｄ、９ｄが設けられており、この蛇行部８ｄ、９ｄを設けることにより、弾性力に抗して第二フレーム部８ｂ、９ｂの周方向に伸長させてフレーム開口が若干大きくなるように設定されている。なお、遠用レンズ１２ａ、１２ｂおよび近用レンズ１３ａ、１３ｂの外周部を、左右の第一フレーム部８ａ、９ａおよび左右の第二フレーム部８ｂ、９ｂに形成した周溝に嵌合させることも可能である。
【００２３】
遠用レンズ１２ａ、１２ｂおよび近用レンズ１３ａ、１３ｂは、図３および図４に示すように、それぞれの光学中心が所定の位置にくるように、セミフィニッシュレンズ１５、１６、１７、１８を切削加工したものである。すなわち、遠用レンズ１２ａ、１２ｂおよび近用レンズ１３ａ、１３ｂのそれぞれの光学中心１５ａ、１６ａ、１７ａ、１８ａは、装着者が眼鏡１を装着した際に、各レンズの最良の位置で目視できる位置に設定されている。
【００２４】
装着者によって左右両側の眼の間隔は様々である。また、遠用部を目視する場合と、近用部を目視する場合の視線（アイポイント）は相違する。これらは、装着者の個人差により相違するため、そこで、各レンズの設定に際しては、それぞれ光学中心が最も見やすい位置にくるように設定されている。
【００２５】
次に、前記構成からなる眼鏡１の製造方法について説明する。
先ず、装着者の眼の検査結果の情報に基づいて装着者の目に最適な眼鏡レンズを決定する。例えば、遠用レンズ１２ａ、１２ｂとなる左右遠用セミフィニッシュレンズ１５、１６を準備する。また、近用レンズ１３ａ、１３ｂとなる左右近用セミフィニッシュレンズ１７、１８を準備する（図３参照）。
【００２６】
左遠用セミフィニッシュレンズ１５から遠用レンズ１２ａを所定形状に切削加工する。このとき、左遠用セミフィニッシュレンズ１５の光学中心１５aは、装着者が左遠用レンズ１２ａを通して目視した際に最良の位置となるように設定されている。
【００２７】
右遠用セミフィニッシュレンズ１６から遠用レンズ１２ｂを所定形状に切削加工する。このとき、右遠用セミフィニッシュレンズ１６の光学中心１６ａは、装着者が右遠用レンズ１２ｂを通して目視した際に最良の位置となるように設定されている。
【００２８】
また、左近用セミフィニッシュレンズ１７から左近用レンズ１３ａを所定形状に切削加工する。このとき、左近用セミフィニッシュレンズ１７の光学中心１７aは、装着者が左近用レンズ１３ａを通して目視する際に最良の位置となるように設定されている。
【００２９】
また、右近用セミフィニッシュレンズ１８から右近用レンズ１３ｂを所定形状に切削加工する。このとき、右近用セミフィニッシュレンズ１８の光学中心１８ａは、装着者が右近用レンズ１３ｂを通して目視する際に最良の位置となるように設定されている。
【００３０】
このように、それぞれの光学中心に基づいて形成された眼鏡レンズ２，３を、眼鏡フレーム５に装着する。左第一フレーム部８ａに左遠用レンズ１２ａを取付け、左第二フレーム部８ｂに左近用レンズ１３ａを取付ける。また、右第一フレーム部９ａに右遠用レンズ１２ｂを取付け、右第二フレーム部９ｂに右近用レンズ１３ｂを取付ける。
【００３１】
以上のように、本実施形態の眼鏡１は、左遠用レンズ１２ａ、右遠用レンズ１２ｂ、左近用レンズ１３ａ、右近用レンズ１３ｂのそれぞれにおいて、光学中心に基づいた切削加工を行っているので、装着者が遠方を目視する場合の視機能と、近方を目視する場合の視機能を最適な状態に調整することができる。
【００３２】
図５は、本発明の他の実施形態を示す。本実施形態の眼鏡１は、図５に示すように、フレーム本体６に、左右遠用レンズ１２ａ、１２ｂおよび近用レンズ１３ａ、１３ｂを、ネジ１８等の連結手段を介して直接に連結した構造のものである。
【００３３】
図６は、本発明の他の実施形態を示す。本実施形態の眼鏡１は、上部の左右遠用レンズ１２ａ、１３ａは、下部が開口するフレーム本体６に嵌合され、下部の左右近用レンズ１３ａ、１３ｂは、両端がフレーム本体６に連結されたテグス等の線条部材２０に下方から保持されている。また、左右遠用レンズ１２ａ、１３ａと左右近用レンズ１３ａ、１３ｂとは、凹凸嵌合されている。これにより、左右遠用レンズ１２ａ、１３ａと左右近用レンズ１３ａ、１３ｂとの保持が確実なものとなっている。
【００３４】
以上、本発明を実施の形態に基づいて説明したが、本発明は、上記の実施の形態に限定されるものではない。前記実施形態は、光学中心がセミフィニッシュレンズ内に存在する場合について例示したが、光学中心は必ずしもセミフィニッシュレンズ内に存在しない場合も含む。具体的には、セミフィニッシュレンズは、製造工場において所定の直径の形状に加工された状態で流通し、眼鏡店等でそのセミフィニッシュレンズを切削加工しているのが一般的である。
【００３５】
光学中心を中心にしたレンズ特性（レンズの断面形状等）を設計し、セミフィニッシュレンズを所定形状に加工すると、光学中心は、セミフィニッシュレンズ外に存在する場合がある。かかる場合も、第一眼鏡レンズおよび第二眼鏡レンズは、セミフィニッシュレンズをそれぞれの光学中心に基づいて加工することにより形成されている場合に相当する。
【００３６】
また、左右遠用レンズおよび近用レンズに加え、さらに別の焦点等を有する種類の相違する第三のレンズを備えることも可能である。
【００３７】
眼鏡レンズの種類は、特に限定されない。具体的には、眼鏡レンズの色、度数、形状、プリズムは、特に限定されない。眼鏡レンズは、度数を有しない平面状のものであって良い。
【００３８】
装着者は、それぞれのレンズを任意に選択することも可能である。例えば、前記実施形態の眼鏡のように、遠用レンズ１２ａ、１２ｂおよび近用レンズ１３ａ、１３ｂに加え、図７に示すように、遠用レンズ１２ａ、１２ｂおよび近用レンズ１３ａ、１３ｂ両側に第三レンズ１９ａ、１９ｂをそれぞれ備えることも可能である。少なくとも、第一レンズおよび第二レンズを備えていれば良い。かかる第三レンズ１９ａ、１９ｂは、任意の色のサングラスレンズとすることも可能である。
【００３９】
また、第一眼鏡レンズおよび第二眼鏡レンズの少なくとも一方をサングラスレンズとすることも可能である。以上のように、本実施形態の眼鏡１は、視機能を向上するとともに装着者のデザイン、用途等の要望に対応えることができる。
【００４０】
眼鏡フレームの形状も特に限定されるものではない。本発明と同一および均等の範囲内において、上記の実施の形態に対して種々の変更を加えることが可能である。
【符号の説明】
【００４１】
１          眼鏡
２          眼鏡レンズ
３          眼鏡レンズ
５          眼鏡フレーム
６          フレーム本体
８          左レンズフレーム部
８ａ        左第一フレーム部
８ｂ        左第二フレーム部
９          右レンズフレーム部
９ａ        右第一フレーム部
９ｂ        右第二フレーム部
１０        連結部
１１        連結部
１２ａ      左遠用レンズ（第一眼鏡レンズ）
１２ｂ      右遠用レンズ（第一眼鏡レンズ）
１３ａ      左近用レンズ（第二眼鏡レンズ）
１３ｂ      右近用レンズ（第二眼鏡レンズ）
１５        セミフィニッシュレンズ（左遠用セミフィニッシュレンズ）
１５ａ      光学中心
１６        セミフィニッシュレンズ（右遠用セミフィニッシュレンズ）
１６ａ      光学中心
１７        セミフィニッシュレンズ（左近用セミフィニッシュレンズ）
１７ａ      光学中心
１８        セミフィニッシュレンズ（右近用セミフィニッシュレンズ）
１８ａ      光学中心
１９ａ      第三眼鏡レンズ
１９ｂ      第三眼鏡レンズ
【図１】
2018036593.tif 000003
【図２】
2018036593.tif 000004
【図３】
2018036593.tif 000005
【図４】
2018036593.tif 000006
【図５】
2018036593.tif 000007
【図６】
2018036593.tif 000008
【図７】
2018036593.tif 000009